(57)【特許請求の範囲】
【請求項１】
２つのリングによって長さの調節が可能なベビースリングの製造方法であって、
スリング布の長手方向の一端から他端へ向かう一部が、前記スリング布の幅方向中央部において筒状部となるように前記スリング布を縫い合わせる筒状部形成工程と、
前記筒状部の縫い合わせ部から前記スリング布の幅方向両端へ延びる両側部の各々を蛇腹部に形成し、当該各蛇腹部は、前記縫い合わせ部から前記幅方向端の方へ概ねずれて行くように折り込まれる蛇腹部形成工程と、
前記長手方向の一端に沿って、前記筒状部を縫い合わせることにより、当該蛇腹部が解消しないように縫い止めするとともに、前記筒状部を袋状に形成する袋状部形成工程と、
前記各蛇腹部が、袋状とされた前記筒状部の中に内包されるように、前記スリング布を内外にひっくり返す反転工程と、
前記２つのリングを前記スリング布に通し、ひっくり返された前記筒状部をスリング布本体に重ね合わせるように、かつ前記蛇腹部が前記スリング布本体と重なる側となるように、前記スリング布を二つ折りにし、前記２つのリングを折り目の部分に寄せて、重なり合った部分を縫い合わせる縫い合わせ工程と、を備えるベビースリングの製造方法。
【請求項２】
前記蛇腹部形成工程は、
各蛇腹部が、幅方向端に向かう２つの山部と前記縫い合わせ部に向かう２つの谷部とを含み、内側の谷部が前記縫い合わせ部よりも前記幅方向端へ寄っており、外側の谷部が内側の山部と谷部との間の中央に配され、外側の谷部に続く外側端部が外側の山部よりも前記幅方向端に寄るように、前記各蛇腹部を形成する請求項１記載のベビースリングの製造方法。
【請求項３】
前記反転工程の後でかつ前記縫い合わせ工程の前に、
前記スリング布本体のうち、前記縫い合わせ工程により前記筒状部と重なることとなる部分について、幅方向両端から幅方向中央部へ向かって、前記筒状部と重なることとなる側に折り返された折り返し部を形成するとともに、当該折り返し部の各々を第２の蛇腹部に形成し、当該第２の蛇腹部は、重なるべき前記筒状部からはみ出さない範囲で前記幅方向端に寄せて形成され、かつ前記第２の蛇腹部の外側端部が前記幅方向端に向かうように折り畳まれる第２蛇腹部形成工程を、さらに備える請求項１又は２に記載のベビースリングの製造方法。
【請求項４】
前記第２蛇腹部形成工程は、
前記スリング布本体のうちの前記筒状部と重なる部分を、重なるべき前記筒状部からはみ出した幅広となるように折り返して前記折り返し部を形成する請求項３に記載のベビースリングの製造方法。
【請求項５】
前記縫い合わせ工程は、
前記ベビースリングの使用者が、前記筒状部を肩当て部として鎖骨から肩胛骨にかけて正しく装着するための目印を、前記スリング布に形成する工程を有する請求項１ないし４のいずれかに記載のベビースリングの製造方法。
【請求項６】
２つのリングによって長さの調節が可能なベビースリングであって、
前記２つのリングと、
長手方向一端部が前記２つのリングに通されかつ折り返されて、残るスリング布本体と縫い合わされているスリング布と、を備え、
前記スリング布は、折り返された前記長手方向一端部が、幅方向中央部において縫い合わされて筒状部とされており、当該筒状部の内側かつ前記スリング布本体と重なる側に、前記筒状部の縫い合わせ部から幅方向両側へ形成された蛇腹部を有し、
前記蛇腹部の各々は、前記筒状部の前記縫い合わせ部から幅方向端の方へ概ねずれて行くように折り込まれているベビースリング。
【請求項７】
前記蛇腹部の各々は、幅方向端に向かう２つの山部と前記縫い合わせ部に向かう２つの谷部とを含み、内側の谷部が前記縫い合わせ部よりも前記幅方向端へ寄っており、外側の谷部が内側の山部と谷部との間の中央に配され、外側の谷部に続く外側端部が外側の山部よりも前記幅方向端に寄るように、形成されている請求項６に記載のベビースリング。
【請求項８】
前記スリング布本体のうちの前記筒状部と重なる部分が、幅方向両端から幅方向中央部へ向かって、前記筒状部と重なる側に折り返された折り返し部を有するとともに、当該折り返し部の各々が第２の蛇腹部に形成されており、当該第２の蛇腹部は、前記筒状部からはみ出さない範囲で前記幅方向端に寄せて形成されており、かつ前記第２の蛇腹部の外側端部が前記幅方向端に向かうように折り畳まれている請求項６又は７に記載のベビースリング。
【請求項９】
前記スリング布本体のうちの前記筒状部と重なる部分が、前記筒状部よりも幅方向両側にはみ出すように幅広に形成されている請求項６ないし８のいずれかに記載のベビースリング。
【請求項１０】
使用者が前記筒状部を肩当て部として鎖骨から肩胛骨にかけて正しく装着するための目印が、前記スリング布に形成されている請求項６ないし９のいずれかに記載のベビースリング。
【発明の詳細な説明】
【技術分野】
【０００１】
本発明は、リングによって長さの調節が可能なベビースリング及びその製造方法に関する。
【背景技術】
【０００２】
従来、この種のベビースリング（以下、「スリング」とも称する）として、例えば特許文献１及び２に開示されるものが知られている。これらのスリングは、スリング布（スリングの主要部をなす布の部分）の一端部に２つのリング（環）が取り付けられており、スリング布の他端部をこれらのリングで係止することにより、スリング全体を長さ調節可能な輪状にすることができるようになっている。そして、輪状となったスリングを、一方の肩に襷（たすき）掛けにし、スリング布の腹の部分などに子供を入れて抱っこして使用に供される。子供の重量が、母親などの使用者の肩に負担とならないよう、使用者の肩に当たるリング付近には、肩当て部が形成されている。
【特許文献１】実開平７−１４９２１号公報
【特許文献２】特開２００６−１１６２６１号公報
【発明の開示】
【発明が解決しようとする課題】
【０００３】
この肩当て部は、スリング布の一端部を狭くし、厚みを増すことにより形成されているが、使用者の肩にスリング布の折り重なりによる段差感が伝わらないよう格別に工夫されたものは、特許文献１及び２の何れにも開示が認められない。
【０００４】
本発明は上記の問題点に鑑みてなされたもので、使用者の肩にスリング布の折り重なりによる段差感が伝わるのを緩和した肩当て部を有するベビースリング、及びその製造方法を提供することを目的とする。
【課題を解決するための手段】
【０００５】
上記課題を解決し上記目的を達成するために、本発明のうち第１の態様に係るものは、２つのリングによって長さの調節が可能なベビースリングの製造方法であり、筒状部形成工程と、蛇腹部形成工程と、袋状部形成工程と、反転工程と、縫い合わせ工程とを備えている。筒状部形成工程は、スリング布の長手方向の一端から他端へ向かう一部が、前記スリング布の幅方向中央部において筒状部となるように前記スリング布を縫い合わせる。蛇腹部形成工程は、前記筒状部の縫い合わせ部から前記スリング布の幅方向両端へ延びる両側部の各々を蛇腹部に形成し、当該各蛇腹部は、前記縫い合わせ部から前記幅方向端の方へ概ねずれて行くように折り込まれる。袋状部形成工程は、前記長手方向の一端に沿って、前記筒状部を縫い合わせることにより、当該蛇腹部が解消しないように縫い止めするとともに、前記筒状部を袋状に形成する。反転工程は、前記各蛇腹部が、袋状とされた前記筒状部の中に内包されるように、前記スリング布を内外にひっくり返す。縫い合わせ工程は、前記２つのリングを前記スリング布に通し、ひっくり返された前記筒状部をスリング布本体に重ね合わせるように、かつ前記蛇腹部が前記スリング布本体と重なる側となるように、前記スリング布を二つ折りにし、前記２つのリングを折り目の部分に寄せて、重なり合った部分を縫い合わせる。
【０００６】
この構成によれば、２つのリングを止めるために、当該２つのリングに通されスリング布本体に重なるように折り返されたスリング布の長手方向一端側の部分に、筒状部を形成することにより、使用者の肩に当たる部分を、予め定められた幅に狭くすることができる。また、筒状部の両側の部分が折り込まれて、蛇腹状に形成されるので、筒状部と蛇腹部とによって布に厚みが増して、使用者の肩への負担を軽減する肩当て部が形成される。しかも、さらにこの蛇腹部が、縫い合わせ部から幅方向端の方へ概ねずれて行くように折り込まれるので、蛇腹部による段差感が使用者に伝わるのを緩和したベビースリングが得られる。それに加えて、筒状部の外側に蛇腹部を一旦形成し、その後、長手方向の一端に沿って、筒状部を縫うことにより、蛇腹部が解消しないように縫い止めしつつ、筒状部を袋状に形成した後に、内外にひっくり返すことにより、蛇腹部が筒状部の内側に収められるので、蛇腹部を有して厚くなった筒状部の端を、例えば縫い合わせ工程などで、三つ折りにして縫うなどの困難を伴う端の処理が不要となる。なお、反転工程と縫い合わせ工程との間に、筒状部の中に、例えばキルト芯などの緩衝材を入れる緩衝材挿入工程を付加して、縫い合わせ工程では、緩衝材を含めて縫い合わせることにより、使用者の肩への負担をさらに軽減するとともに、蛇腹部による段差感をさらに緩和したベビースリングを得ることも可能である。
【０００７】
本発明のうち第２の態様に係るものは、第１の態様に係るベビースリングの製造方法であって、前記蛇腹部形成工程は、各蛇腹部が、幅方向端に向かう２つの山部と前記縫い合わせ部に向かう２つの谷部とを含み、内側の谷部が前記縫い合わせ部よりも前記幅方向端へ寄っており、外側の谷部が内側の山部と谷部との間の中央に配され、外側の谷部に続く外側端部が外側の山部よりも前記幅方向端に寄るように、前記各蛇腹部を形成するものである。
【０００８】
この構成によれば、各蛇腹部が簡単な折り方により、一様な厚さに近いものとなる。それにより、蛇腹部による段差感が使用者に伝わるのを効果的に緩和したベビースリングが得られる。
【０００９】
本発明のうち第３の態様に係るものは、第１又は第２の態様に係るベビースリングの製造方法であって、前記反転工程の後でかつ前記縫い合わせ工程の前に、前記スリング布本体のうち、前記縫い合わせ工程により前記筒状部と重なることとなる部分について、幅方向両端から幅方向中央部へ向かって、前記筒状部と重なることとなる側に折り返された折り返し部を形成するとともに、当該折り返し部の各々を第２の蛇腹部に形成し、当該第２の蛇腹部は、重なるべき前記筒状部からはみ出さない範囲で前記幅方向端に寄せて形成され、かつ前記第２の蛇腹部の外側端部が前記幅方向端に向かうように折り畳まれる第２蛇腹部形成工程を、さらに備えるものである。
【００１０】
この構成によれば、スリング布本体のうち筒状部と重なる部分について、幅方向両端から幅方向中央部へ向かって折り返された折り返し部が形成されるので、筒状部の形状と自然につながりファッション性を損なわないベビースリングが得られる。さらに、各折り返し部が、筒状部内の蛇腹部とは反対に、筒状部と重なることとなる側に折り畳まれる蛇腹状に形成され、しかもこの第２の蛇腹部が、重なるべき筒状部からはみ出さない範囲で幅方向端に寄せて形成されるので、スリング布の幅方向両端に沿って襞（ひだ）が形成され、しかもこの襞が使用者の背中で自然に広がり、背中への荷重の負担を和らげることができ、しかもファッションとしての美観にも優れるスリングが得られる。また第２の蛇腹部が、重なるべき筒状部の幅方向両端からはみ出さないように形成されるので、第２の蛇腹部のはみ出しによる見苦しさを回避することができ、この点でもファッション性が高められたスリングが得られる。
【００１１】
本発明のうち第４の態様に係るものは、第３の態様に係るベビースリングの製造方法であって、前記第２蛇腹部形成工程は、前記スリング布本体のうちの前記筒状部と重なる部分を、重なるべき前記筒状部からはみ出した幅広となるように折り返して前記折り返し部を形成するものである。
【００１２】
この構成によれば、前記スリング布本体のうちの前記筒状部と重なる部分が、重なるべき前記筒状部からはみ出すように前記筒状部よりも幅広に形成されるので、スリング布本体が使用者の肩骨の左右を広く覆うことができるようになる。すなわちこの構成によれば、肩のカーブに自然に沿う形態で装着することが可能となるベビースリングが得られる。
【００１３】
本発明のうち第５の態様に係るものは、第１ないし第４のいずれかの態様に係るベビースリングの製造方法であって、前記縫い合わせ工程は、前記ベビースリングの使用者が、前記筒状部を肩当て部として鎖骨から肩胛骨にかけて正しく装着するための目印を、前記スリング布に形成する工程を有するものである。
【００１４】
この構成によれば、目印が形成されるので、使用者がこの目印を頼りに、肩当て部としての筒状部を、鎖骨から肩胛骨にかけて正しく装着可能なベビースリングが得られる。目印は、例えば肩の頂部の正しい位置を縫い糸で示すものであっても良く、模様で示すものであっても良く、その他の形態で示すものであっても良い。
【００１５】
本発明のうち第６の態様に係るものは、２つのリングによって長さの調節が可能なベビースリングであって、前記２つのリングと、長手方向一端部が前記２つのリングに通されかつ折り返されて、残るスリング布本体と縫い合わされているスリング布と、を備えている。前記スリング布は、折り返された前記長手方向一端部が、幅方向中央部において縫い合わされて筒状部とされており、当該筒状部の内側かつ前記スリング布本体と重なる側に、前記筒状部の縫い合わせ部から幅方向両側へ形成された蛇腹部を有している。前記蛇腹部の各々は、前記筒状部の前記縫い合わせ部から幅方向端の方へ概ねずれて行くように折り込まれている。
【００１６】
この構成によれば、２つのリングを止めるために、当該２つのリングに通されスリング布本体に重なるように折り返されたスリング布の長手方向一端部が、幅方向中央部において縫い合わされて筒状部とされ、当該一端部の縫い合わせ部から幅方向に残った部分が、この筒状部の内側にあって筒状部の縫い合わせ部から幅方向両側へ蛇腹状に形成されているので、これらの筒状部と蛇腹部とにより、布に厚みが加わる。それにより当該部分が、使用者の肩への負担を軽減する肩当て部として機能する。さらに蛇腹部が、縫い合わせ部から幅方向端の方へ概ねずれて行くように折り込まれているので、蛇腹部による段差感が使用者に伝わるのを緩和することができる。なお、筒状部の中に、例えばキルト芯などの緩衝材が入れられ、スリング布本体に縫い合わされた長手方向一端部とともに縫い合わされた態様を採っても良い。それにより、使用者の肩への負担をさらに軽減するとともに、蛇腹部による段差感をさらに緩和することが可能となる。
【００１７】
本発明のうち第７の態様に係るものは、第６の態様に係るベビースリングであって、前記蛇腹部の各々は、幅方向端に向かう２つの山部と前記縫い合わせ部に向かう２つの谷部とを含み、内側の谷部が前記縫い合わせ部よりも前記幅方向端へ寄っており、外側の谷部が内側の山部と谷部との間の中央に配され、外側の谷部に続く外側端部が外側の山部よりも前記幅方向端に寄るように、形成されている。
【００１８】
この構成によれば、各蛇腹部が簡単な折り方により、一様な厚さに近いものとなる。それにより、蛇腹部による段差感が使用者に伝わるのを効果的に緩和することができる。
【００１９】
本発明のうち第８の態様に係るものは、第６又は第７の態様に係るベビースリングであって、前記スリング布本体のうちの前記筒状部と重なる部分が、幅方向両端から幅方向中央部へ向かって、前記筒状部と重なる側に折り返された折り返し部を有するとともに、当該折り返し部の各々が第２の蛇腹部に形成されており、当該第２の蛇腹部は、前記筒状部からはみ出さない範囲で前記幅方向端に寄せて形成されており、かつ前記第２の蛇腹部の外側端部が前記幅方向端に向かうように折り畳まれているものである。
【００２０】
この構成によれば、スリング布本体のうち筒状部と重なる部分について、幅方向両端から幅方向中央部へ向かって折り返された折り返し部が形成されているので、筒状部の形状と自然につながりファッション性が損なわれない。さらに、各折り返し部が、筒状部内の蛇腹部とは反対に、筒状部と重なる側に折り畳まれた蛇腹状に形成され、しかもこの第２の蛇腹部が筒状部からはみ出さない範囲で幅方向端に寄せて形成されるので、スリング布の幅方向両端に沿って襞（ひだ）が形成され、しかもこの襞が使用者の背中で自然に広がり、背中への荷重の負担を和らげることができ、しかもファッションとしての美観にも優れたものとなる。また第２の蛇腹部が、筒状部の幅方向両端からはみ出さないように形成されているので、第２の蛇腹部のはみ出しによる見苦しさを回避することができ、この点でもファッション性が高められる。
【００２１】
本発明のうち第９の態様に係るものは、第６ないし第８のいずれかの態様に係るベビースリングであって、前記スリング布本体のうちの前記筒状部と重なる部分が、前記筒状部よりも幅方向両側にはみ出すように幅広に形成されているものである。
【００２２】
この構成によれば、スリング布本体のうちの前記筒状部と重なる部分が、筒状部からはみ出すように筒状部よりも幅広に形成されるので、スリング布が使用者の肩骨の左右を広く覆うことができるようになる。すなわち、肩のカーブに自然に沿う形態でスリングを装着することが可能となる。
【００２３】
本発明のうち第１０の態様に係るものは、第６ないし第９のいずれかの態様に係るベビースリングであって、使用者が前記筒状部を肩当て部として鎖骨から肩胛骨にかけて正しく装着するための目印が、前記スリング布に形成されている
【００２４】
この構成によれば、目印が形成されるので、使用者がこの目印を頼りに、肩当て部としての筒状部を、鎖骨から肩胛骨にかけて正しく装着することが可能となる。目印は、例えば肩の頂部の正しい位置を縫い糸で示すものであっても良く、模様で示すものであっても良く、その他の形態で示すものであっても良い。
【発明の効果】
【００２５】
以上のように本発明によれば、使用者の肩にスリング布の折り重なりによる段差感が伝わるのを緩和した肩当て部を有するベビースリングが得られる。
【発明を実施するための最良の形態】
【００２６】
（１．構成の概略）
図１は、本発明の一実施の形態によるベビースリングの使用状態を示す正面図である。このスリング８０は、リングを有するタイプのものであり、一対のリング３７がスリング布１の一端に取り付けられている。スリング布１の他端側に尾を引いた部分であるテール８２を、一対のリング３７の双方に通し、さらに一方と他方との間から戻すようにすることで、スリング８０が輪状となる。輪状となったスリング８０を、母親などの使用者１０１の一方の肩に襷がけにして使用に供される。スリング布１のポーチ８１の部分に子供１０２を入れるなどにより、荷重が加わると、テール８２の一対のリング３７に挟まれた部分を締め付けるように作用するので、スリング布１は安定的に一定長さの輪の状態を維持することができる。また、テール８２の幅方向に沿った様々な部位、例えば左端、中央、右端などを引くことで、ポーチ８１の大きさや高さなどの位置を調節し、ハンモック状とすることができる。また、スリング布１を緩めるときには、一対のリング３７をずらすことにより、容易に緩めることができる。
【００２７】
リング３７を止めるために、スリング布１の長手方向一端部がリング３７に通され、かつ折り返されて、スリング布１の残りの本体３４と、縫い目３９及び４３により縫い合わされている。後述するように、折り返された一端部は、筒状部１９となるように形成されている。図１では、筒状部１９はスリング布本体３４に隠れて表には現れないため、点線で示している。この筒状部１９の内側には、スリング布１の一部が蛇腹状に折り畳まれている（図示略）。それにより、スリング布１は筒状部１９において厚みが増しており、筒状部１９は、子供１０２の重量が使用者１０１の肩に負担となることを軽減する肩当て部としても機能する。筒状部１９の中には、肩への負担をさらに軽減するために、例えばキルト芯などの緩衝材が挿入されている（図示略）。さらに、筒状部１９と重なるスリング布本体３４は、筒状部１９よりも幅方向両側にはみ出すように幅広に形成されている。それにより、スリング布１が使用者の肩骨の左右を広く覆うことが可能となる。
【００２８】
また、肩当て部の縫い目のうち、縫い目４３は、肩当て部を鎖骨から肩胛骨にかけて正しく装着したときの肩の位置を指し示すように作られている。すなわち縫い目４３は、肩当て部の前後方向の正しい装着位置を、使用者１０１に教示する役割を果たすように形成されている。図１の例では、縫い目４３は、肩の頂部の位置を示す目印として、肩の頂部の前後に平行に２本形成されている（図１には前方の１本のみが表されている）。
【００２９】
（２．製造工程）
以下において、製造工程図である図２〜図１６を参照しつつ、スリング８０の製造工程を詳細に説明する。当該説明によって、完成されたスリング８０の詳細な構造も、同時に明らかとなる。スリング８０を製造するには、まず図２に示すように、帯状のスリング布１を準備する。スリング布１は、必ずしも正確に帯状でなくても良く、また必ずしも一枚布でなくても良く、スリング８０の主要部をなすスリング布の機能を果たすものであれば足りる。本実施の形態では、好ましい一形態として、スリング布１は帯状であり、かつ縫い合わせによるものではなく一枚布であるものとする。以下の各工程で示す寸法例は、標準体型の成人女性の使用者１０１を想定した好ましい寸法の一例である。スリング布１の寸法例を示すと、幅が９４ｃｍであり、長さＬＬが２２０ｃｍである。
【００３０】
次に、図２に示すように、準備されたスリング布１の幅方向端部３ａ、３ｂを、それぞれ三つ折りにし、さらに端ミシンをかける（縫い目５）。一例として、表面に現れる折り幅Ｂは４ｃｍであり、内側に折り込まれた折りしろの幅Ｃは３ｃｍである。従って、三つ折り後のスリング布１の幅Ａは、一例として８０ｃｍである。図２において、手前側がスリング布１の裏地である。すなわち、裏地側に三つ折りを形成する。一方、図２において三つ折りを表地側（図２の奥側）に形成しても良い。それにより、完成したスリング８０において、スリング布１の幅方向の縁（いわゆる「レール」）に沿って、表地とは異なる色あるいは模様の裏地が表に現れるようにすることが可能となる。
【００３１】
次に図３に示すように、スリング布１の長手方向端部９を、同様に三つ折りにし、かつ端ミシンをかける（縫い目１１）。折り幅Ｄは、一例として１．５ｃｍである。次に、スリング布１を、長手方向に沿った中心線１３に沿って中表に、すなわち表地が中となるように折り畳む。
【００３２】
続いて図４に示すように、スリング布１の長手方向端部９とは反対の長手方向端、すなわち端ミシンをかけていない方の端からある長さＦにわたって、中表に折り畳まれたスリング布１の折り目７（いわゆる「わ」）に沿ってアイロンをかけることにより、折り目を付ける。アイロンがけの長さＦは、一例として８０ｃｍである。次に、折り目７からある幅Ｇだけ離れた部位を、スリング布１の上記一端からミシンがけする（縫い目１５）。それにより、一端からある長さにわたって筒状部が形成される。一例として、幅Ｇは１８ｃｍであり、一端から縫い止まり１７までのミシンがけの長さＨは、３２ｃｍである。また、折り畳まれたスリング布１の幅Ｅは、一例として４０ｃｍとなる。
【００３３】
なお、三つ折りとされた幅方向端部３ａ、３ｂには、例えば綿、キルト芯、ウレタンなどの緩衝材を挿入しても良い。それにより、スリング布１のレールにそって、緩衝材が挿入されたスリング８０が出来上がる。但しその場合にも、使用者１０１の肩の部分に段差感を増すこととならないように、またファッション性を損なうこととならないように、スリング布１の一端から上記長さＨの範囲、あるいはそれより幾分長い範囲には、緩衝材を入れないのが望ましい。
【００３４】
次に図５に示すように、筒状部１９の縫い目１５から幅方向一端へ延びる一対の残余の部分のうち、表側のものを開いて、上記長手方向端から縫い目１５を超える長さＪにわたってアイロンをかける。アイロンがけの長さＪの一例は、８０ｃｍである。
【００３５】
次に図６に示すように、筒状部１９が上となるように、スリング布１をひっくり返す。続いて、スリング布１の幅方向中心から幅方向（すなわち図６の上下方向）に、筒状部１９を均等に広げ、長手方向端からある長さＫにわたってアイロンをかける。それにより筒状部１９が平坦となり、折り目２３が形成される。アイロンがけの長さ、すなわち折り目２３の長さＫは、筒状部１９の長さＨよりは長く、一例として４０ｃｍである。
【００３６】
次に図７に示すように、筒状部１９が下方となるように、スリング布１をひっくり返す。続いて筒状部１９の縫い合わせ部、すなわち縫い目１５から幅方向両端へ延びる両側部の各々を蛇腹状に折り込む。蛇腹状に折り込む部分は、筒状部１９よりも幾分長めにするのが望ましい。折り込まれてなる蛇腹部２５の長さＲは、例えば筒状部１９の長さＨ（例えば３２ｃｍ）よりも長い３５ｃｍである。なお図７では、主要部を図示する趣旨で、三つ折りとされた幅方向端部３ａ、３ｂを示す線は、記載を略している。
【００３７】
切断線ＲＲに沿った断面構造を図８に示す。図８や後述の図１１及び図１５の断面図では、布地等の厚さを誇張して表している。図７及び図８に示すように蛇腹部２５は、例えば、幅方向端に向かう２つの山部２７ａ、２７ｂと、縫い目１５に向かう２つの谷部２８ａ、２８ｂとを含むように形成される。好ましい一例として蛇腹部２５は、内側の谷部２８ａが縫い目１５よりも幅方向端に寄っており、双方の山部２７ａ、２７ｂが重なり、外側の谷部２８ｂが内側の谷部２８ａよりも幅方向端に寄っており、特に内側の山部２７ａと内側の谷部２８ａとの間の中央に配されている。さらに、外側の谷部２８ｂに続く外側端部３０が外側の山部２７ｂよりも幅方向端に寄るように形成される。すなわち蛇腹部２５は、２つの山部２７ａ、２７ｂの位置が重なってはいるものの、筒状部１９の縫い合わせ部である縫い目１５から幅方向端の方へ、概ねずれて行くように折り込まれる。それにより、蛇腹部２５の段差感が、スリング８０の使用者１０１の肩に伝わるのを緩和することができる。
【００３８】
寸法例を挙げると、蛇腹部２５は、その基部となる縫い目１５から順に、６ｃｍ、４ｃｍ、４ｃｍ、２ｃｍ、及び４ｃｍとなるように折り込まれる。それにより、縫い目１５から内側の山部２７ａまでの幅Ｌが６ｃｍとなり、内側の山部２７ａから内側の谷部２８ａまでの幅Ｍが４ｃｍとなり、内側の谷部２８ａから外側の山部２７ｂまでの幅も同じく幅Ｍ（４ｃｍ）となり、外側の山部２７ｂから外側の谷部２８ｂまでの幅Ｎが２ｃｍとなり、外側の谷部２８ｂから外側端部３０までの幅Ｐが４ｃｍとなる。
【００３９】
次に図９に示すように、スリング布１の長手方向端に沿って、筒状部１９にミシンをかけることにより、蛇腹部２５が解消しないように縫い止めするとともに、筒状部１９を袋状に形成する。長手方向端からミシンがけによる縫い目３２までの幅Ｓは、例えば２ｃｍである。この場合、縫い目３２から縫い止まり１７までの長さＴは、例えば３０ｃｍとなる。なお図９においても、三つ折りとされた幅方向端部３ａ、３ｂを示す線は、記載を略している。
【００４０】
次に図１０に示すように、蛇腹部２５が、袋状とされた筒状部１９の中に内包されるように、スリング布１を内外にひっくり返す。さらに、ひっくり返された袋状の筒状部１９の中に、クッション材（緩衝材）６０として、例えばキルト芯を挿入する。クッション材６０は、例えば１８ｃｍ×５４ｃｍの長方形キルト芯を二つ折りにしたものを用いる。この場合、筒状部１９に挿入されるときのクッション材６０の幅ＤＤは１８ｃｍであり、長さＣＣは２７ｃｍである。その結果、切断線ＴＴに沿った断面図である図１１に示すように、一対の蛇腹部２５は、図８に示した筒状部１９の外側にある場合と同じ形状を保ち、かつクッション材６０に覆われた状態で、筒状部１９の内側に納まる。
【００４１】
このように、筒状部１９の外側に蛇腹部２５を一旦形成し、その後、長手方向の一端に沿って、縫い目３２に沿って筒状部１９を縫うことにより、蛇腹部２５が解消しないように縫い止めしつつ、筒状部１９を袋状に形成した後に、内外にひっくり返すことにより、蛇腹部２５が筒状部１９の内側に収められるので、山部２７ａ、２７ｂと谷部２８ａ、２８ｂの位置が定められた蛇腹部２５を、筒状部１９の内側に容易に形成することができる。また、縫い目３２によって端の処理がなされるので、蛇腹部２５を有して厚みを増した筒状部１９の端を、例えば後述する図１４〜図１６の縫い合わせ工程などで、三つ折りにして縫うなどの困難を伴う端の処理が不要となる。
【００４２】
図１０に戻って、筒状部１９に続くスリング布１の部分、すなわちスリング布本体３４のうち筒状部１９に近い部分は、後の工程で、筒状部１９と重なることとなる。この部分に、筒状部１９と連続するように幅方向両端から幅方向中央部へ向かって折り返された折り返し部３３を形成する。
【００４３】
次に図１２に示すように、折り返し部３３を外側に折り畳んで蛇腹状に形成する（蛇腹部３５）。従って、縫い止まり１７では、筒状部１９の内側に納まっている蛇腹部２５と、折り返し部３３によって外側に形成された蛇腹部３５とが、内外に交差することになる。この縫い止まり１７は、後の工程により、リング３７を取り付ける部分であり、使用者１０１の肩に当たる部分ではないので、蛇腹部２５と３５とが交差して厚みを増すこととなっても、使用者１０１に違和感を与えない。また、完成したスリング８０の表には現れないので、ファッション性を損なわない。
【００４４】
折り返し部３３に形成される蛇腹部３５は、例えば図１２に示すように三重に折り畳まれる。後述する工程で、縫い止まり１７でスリング布１が二つ折りにされたときに、蛇腹部３５の幅方向端が、筒状部１９の幅方向端におおよそ重なり、蛇腹部３５が筒状部１９の幅方向両端に寄るように、蛇腹部３５を形成しておくのが望ましい。また、蛇腹部３５は、その外側端部が幅方向端に向かうように折り畳まれるのが望ましい。そうすることによって、完成後にスリング布１の幅方向両端にできる襞（ひだ）が、使用者の背中で自然に広がり、背中への荷重の負担を和らげることができ、しかもファッションとしての美観にも優れるスリング８０が得られる。また蛇腹部３５が、筒状部１９の幅方向両端からはみ出さないように形成されるので、蛇腹部３５のはみ出しによる見苦しさを回避することができ、この点でもファッション性が高められる。
【００４５】
折り目から折り目まで、折り目から外側端部までの幅Ｕは、例えば６ｃｍに設定される。また、縫い止まり１７を起点として形成される蛇腹部３５の長さＶは、筒状部１９の長さＴ（例えば３０ｃｍ）よりは長く設定され、例えば４０ｃｍに設定される。折り込まれた蛇腹部３５には、アイロンがかけられる。
【００４６】
次に図１３に示すように、２つのリング３７をスリング布１に通し、縫い止まり１７の位置に置く。続いて図１４に示すように、リング３７を通したままで、縫い止まり１７でスリング布１を二つ折りにする。このとき、ＳＳ切断線に沿った断面図である図１５に示すように、蛇腹部２５と蛇腹部３５とが、部分的に重なることとなるが、筒状部１９を間に挟んでいるために、互いに干渉することなく、スリング布１を容易に二つ折りにすることができる。
【００４７】
先の図１２の工程で、蛇腹部３５の折り目の位置を適切に設定しておくことにより、図１４及び図１５の工程において、折り返し部３３を、筒状部１９の幅方向両側にはみ出すように幅広に形成することが可能である（はみ出し部４０）。筒状部１９のリング３７から遠い方の長手方向端部において、筒状部１９の両側へのはみ出し部４０のはみ出し幅Ｗは、それぞれ例えば３ｃｍに設定される。はみ出し部４０を形成することにより、しなやかなスリング布１で使用者の肩骨の左右を広く覆うことができるようになる。すなわち、肩のカーブに自然に沿う形態で、スリング８０を装着することができるようになる。
【００４８】
互いに重なり合った筒状部１９とスリング布本体３４とは、ミシンがけにより縫い合わされる（縫い目３９）。それにより、スリング布１の長手方向端部に２つのリング３７を止める構造が出来上がる。また、筒状部１９は、筒状部１９自身と、その中に収納された蛇腹部２５と、クッション材６０とによって布の厚さが増しており、肩当て部として機能する。蛇腹部２５は、上述の通り、段差感が使用者１０１の肩に伝わることを緩和するように構成されている。さらに、筒状部１９の中にクッション材６０が挿入されているので、使用者１０１への荷重負担、段差感ともに、さらに和らげられる。また、蛇腹部３５は、筒状部１９よりも使用者１０１の肩から遠い位置にあるため、段差があっても使用者１０１への影響は比較的希薄である。
【００４９】
肩当て部としての筒状部１９を過度に幅広にすると、肉厚の肩当て部が湾曲する肩になじみにくく、一部が浮き上がったりする。また、ファッション性も損なわれる。一方、肩当て部が過度に狭いと、使用者は肩当て部を、本来の正しい装着位置ではない肩の上に載せて、首寄りに荷重がかかるようにしてスリング８０を使用しがちとなる。これに対して、肩当て部としての筒状部１９を適度な幅、例えば１８ｃｍ前後に設定することにより、肩当て部が湾曲する肩から浮くことなく、また使用者は、本来の装着位置である肩骨を覆うような位置に肩当て部を装着し易くなる。
【００５０】
図１４の例では、ミシンがけは、筒状部１９の中に収納されたクッション材６０をも一緒に縫い合わせるように、筒状部１９の縁に沿って行われ、リング３７に近い方の端部は縫い合わされない（縫い目３９）。縫い目３９の縫い代Ｚは、例えば１ｃｍであり、筒状部１９の幅方向両端に沿った縫い目３９の長さＹは、例えば２０ｃｍである。図１４において筒状部１９は、リング３７に絞られて扇状となっているが、実際には矩形であり、縫い目３９は、この筒状部１９の縁に沿ったカップ型（「コ」字型）である。従って縫い目３９は、ミシンの直線縫いで縫うことが可能である。縫い目３９は、リング３７に最も近い一端から縫い始めることにより、ミシンで一気に縫うことができる。
【００５１】
次に図１６に示すように、互いに重なり合った筒状部１９とスリング布本体３４とを、筒状部１９に内包されているクッション材６０をも含めて、ミシンがけによりさらに縫い合わせて補強する。このとき図１６に示すように、使用者１０１の肩を前後に挟む部位に、幅方向に沿った２本の縫い目４３が形成されるようにする。縫い目４３等は、使用者１０１の目に触れるスリング布本体３４の表面（図１６において裏側）にも現れる。それにより、縫い目４３は、肩当て部の前後方向の正しい装着位置を、使用者１０１に教示する目印としての役割をも兼ねることができる。目印を１本とするよりは、２本として幅を持たせることにより、正しい装着位置が一点ではなく幅を持ったものであることを、使用者１０１に自然に教示することができ、使用者１０１が神経過敏となることを回避することができる。２本の縫い目４３が、リング３７に近い方の筒状部１９の長手方向端から、リング３７から遠い方の筒状部１９の長手方向端に沿った縫い目３９までの幅を、ＡＡ、ＢＢ、ＣＣに分割するように形成されるものとすると、例えば、幅ＡＡは１１ｃｍであり、幅ＢＢは７ｃｍであり、幅ＣＣは１１ｃｍである。
【００５２】
以上のように、本実施の形態による製造工程では、一枚のスリング布１のみを用い、しかもミシンによる直線縫いのみでベビースリング８０を完成することができる。
【００５３】
（３．その他の実施の形態）
（１）  図１０の工程で、クッション材６０を筒状部１９に挿入しない形態を採ることも可能である。この場合には、図１０のＴＴ切断線に沿った断面図は、図１１においてクッション材６０を除去したものとなる。すなわち、蛇腹部２５はクッション材６０に覆われることなく、筒状部１９の内側に収納される。この形態においても、筒状部１９及び蛇腹部２５が、その厚みによって、肩当て部としての役割を果たす。
【００５４】
（２）  筒状部１９の正しい前後の装着位置を表示する目印として、平行な２本の縫い目４３の他に、様々な形態を採ることが可能である。例えば、肩に該当する部位にのみ、１本の縫い目を設けても良く、当該部位を中心として「Ｘ」形状の縫い目を設けても良い。また、縫い目に依るのではなく、筒状部１９に目印となるような模様を付しても良い。
【００５５】
（３）  図７では、蛇腹部２５は、２つの山部２７ａ，２７ｂと２つの谷部２８ａ、２８ｂを有するように形成された。これに対して、一般に両者が各々複数となるように蛇腹部２５を形成しても良い。また、蛇腹部２５の山部、谷部は、１つであっても良い。すなわち一般に、蛇腹部２５は、山部、谷部を各々１つ以上有するように形成しても良い。このとき蛇腹部２５は、蛇腹部２５の縫い合わせ部（縫い目１５）と１以上の谷部との間で、同じ位置に重なるものが有ったとしても、それら全体が概ね幅方向端の方へずれて行くように折り込まれており、１以上の山部と外側端部３０との間で、同じ位置に重なるものが有ったとしても、それら全体が概ね幅方向端の方へずれて行くように折り込まれておれば良い。
【図面の簡単な説明】
【００５６】
【図１】本発明の一実施の形態によるベビースリングの使用状態を示す正面図である。
【図２】図１のベビースリングを製造する工程を示す工程図である。
【図３】図１のベビースリングを製造する工程を示す工程図である。
【図４】図１のベビースリングを製造する工程を示す工程図である。
【図５】図１のベビースリングを製造する工程を示す工程図である。
【図６】図１のベビースリングを製造する工程を示す工程図である。
【図７】図１のベビースリングを製造する工程を示す工程図である。
【図８】図１のベビースリングを製造する工程を示す工程図である。
【図９】図１のベビースリングを製造する工程を示す工程図である。
【図１０】図１のベビースリングを製造する工程を示す工程図である。
【図１１】図１のベビースリングを製造する工程を示す工程図である。
【図１２】図１のベビースリングを製造する工程を示す工程図である。
【図１３】図１のベビースリングを製造する工程を示す工程図である。
【図１４】図１のベビースリングを製造する工程を示す工程図である。
【図１５】図１のベビースリングを製造する工程を示す工程図である。
【図１６】図１のベビースリングを製造する工程を示す工程図である。
【符号の説明】
【００５７】
１    スリング布
１９  筒状部
２５  蛇腹部
２７ａ、２７ｂ  山部
２８ａ，２８ｂ  谷部
３４  スリング布本体
３３  折り返し部
３５  蛇腹部（第２の蛇腹部）
３７  リング
４０  はみ出し部
４３  縫い目（目印）
８０  ベビースリング
１０１  使用者
【図１】
0005133679.tif 000002
【図２】
0005133679.tif 000003
【図３】
0005133679.tif 000004
【図４】
0005133679.tif 000005
【図５】
0005133679.tif 000006
【図６】
0005133679.tif 000007
【図７】
0005133679.tif 000008
【図８】
0005133679.tif 000009
【図９】
0005133679.tif 000010
【図１０】
0005133679.tif 000011
【図１１】
0005133679.tif 000012
【図１２】
0005133679.tif 000013
【図１３】
0005133679.tif 000014
【図１４】
0005133679.tif 000015
【図１５】
0005133679.tif 000016
【図１６】
0005133679.tif 000017